(57)【要約】【課題】曲げ性に優れた高強度鋼板およびその製造方法を提供する。【解決手段】C：0.04〜0.20％、Si：0.6〜1.5%、Mn：1.0〜3.0%、P：0.10%以下、S：0.030%以下、Al：0.10%以下、N：0.010％以下を含有し、Ti、Nb、Vの１種または2種以上をそれぞれ0.01〜1.0％を含有し、残部は鉄および不可避的不純物からなり、組織は、面積率で、フェライトが５０％以上であり、鋼板表面から板厚深さ方向に50μmの位置での平均粒径が3000×[引張強度TS(MPa) ]−0.85μm以下であり、鋼中に析出した粒子径20nm未満の析出物中のC量が0.010質量％以上、析出Fe量（セメンタイトとして析出したFe量）が0.03〜1.0質量％であり、算術平均粗さRaが3.0μm以下である。【選択図】なし【特許請求の範囲】
【請求項１】
成分組成は、質量％で、C：0.04〜0.20％、Si：0.6〜1.5％、Mn：1.0〜3.0％、P：0.10％以下、S：0.030％以下、Al：0.10％以下、N：0.010％以下を含有し、Ti、Nb、Vの１種または2種以上をそれぞれ0.01〜1.0％を含有し、残部は鉄および不可避的不純物からなり、
組織は、面積率で、フェライトが５０％以上であり、
鋼板表面から板厚深さ方向に50μmの位置での平均粒径が3000×[引張強度TS(MPa) ]−0.85μm以下であり、
鋼中に析出した粒子径20nm未満の析出物中のC量が0.010質量％以上、析出Fe量が0.03〜1.0質量％であり、
算術平均粗さRaが3.0μm以下であることを特徴とする曲げ性に優れた高強度鋼板。
ただし、前記析出Fe量とはセメンタイトとして析出したFe量である。
【請求項２】
前記成分組成に加えて、質量％で、Mo、Ta、Wの１種または2種以上をそれぞれ0.005〜0.50％含有することを特徴とする請求項１に記載の曲げ性に優れた高強度鋼板。
【請求項３】
前記成分組成に加えて、質量％で、Cr、Ni、Cuの１種または2種以上をそれぞれ0.01〜1.0％含有することを特徴とする請求項１または２に記載の曲げ性に優れた高強度鋼板。
【請求項４】
前記成分組成に加えて、質量％で、Ca、REMの１種または2種をそれぞれ0.0005〜0.01％含有することを特徴とする請求項１〜３のいずれか一項に記載の曲げ性に優れた高強度鋼板。
【請求項５】
前記成分組成に加えて、質量％で、Sb：0.005〜0.050％を含有することを特徴とする請求項１〜４のいずれか一項に記載の曲げ性に優れた高強度鋼板。
【請求項６】
前記成分組成に加えて、質量％で、B：0.0005〜0.0030％を含有することを特徴とする請求項１〜5のいずれか一項に記載の曲げ性に優れた高強度鋼板。
【請求項７】
鋼板表面にめっき層を有することを特徴とする請求項１〜6のいずれか一項に記載の曲げ性に優れた高強度鋼板。
【請求項８】
請求項１〜6のいずれか一項に記載の成分組成を有する鋼スラブに対して、鋳造後、直送圧延または1200℃以上に再加熱し、
次いで、粗圧延後、仕上げ圧延前に、衝突圧を3MPa以上とするデスケーリングを行い、950℃以下の累積圧下率を0.7以上、仕上圧延出側温度を800℃以上とする熱間圧延を行い、
次いで、仕上圧延終了後徐冷開始まで最大衝突圧5kPa以上、平均冷却速度30℃/ｓ以上とする冷却を行い、
次いで、徐冷開始温度550〜750℃から、平均冷却速度10℃/s未満、徐冷時間1〜10sで徐冷を行い、
次いで、巻取温度350℃以上530℃未満まで、平均冷却速度10℃/s以上で冷却し、
巻取温度350℃以上530℃未満で巻取ることを特徴とする曲げ性に優れた高強度鋼板の製造方法。
【請求項９】
さらに、前記巻取り後、酸洗を行うことを特徴とする請求項8に記載の曲げ性に優れた高強度鋼板の製造方法。
【請求項１０】
さらに、前記酸洗後、均熱温度750℃以下の焼鈍を行い、次いで、溶融めっき処理することを特徴とする請求項9に記載の曲げ性に優れた高強度鋼板の製造方法。
【請求項１１】
さらに、溶融めっき処理後、合金化処理温度460〜600℃、保持時間1s以上で合金化処理を行うことを特徴とする請求項10に記載の曲げ性に優れた高強度鋼板の製造方法。
【請求項１２】
さらに、前記酸洗後、電気めっき処理することを特徴とする請求項9に記載の曲げ性に優れた高強度鋼板の製造方法。
【請求項１３】
前記巻取り、前記酸洗、前記溶融めっき処理、前記合金化処理、前記電気めっき処理のいずれかの処理後、板厚減少率0.1〜3.0％の加工を施すことを特徴とする請求項8〜12のいずれか一項に記載の曲げ性に優れた高強度鋼板の製造方法。
【請求項１４】
請求項１〜6のいずれか一項に記載の高強度鋼板に対して、めっき処理することを特徴とする曲げ性に優れた高強度鋼板の製造方法。
【発明の詳細な説明】
【技術分野】
【０００１】
本発明は、自動車のロアアームやフレームなどの足回り部材、ピラーやメンバーなどの骨格部材およびそれらの補強部材、ドアインパクトビーム、シート部材、自販機、デスク、家電・OA機器、建材などに使用される構造用部材として最適な曲げ性に優れた高強度鋼板とその製造方法に関する。
【背景技術】
【０００２】
近年、地球環境に対する関心の高まりを受けて、CO2排出量低減の要望が増加している。さらに、自動車分野などでは車体を軽くすることで燃費を向上させるとともに、排ガス量を減らしたいとのニーズも益々大きくなっている。また、衝突安全性に対するニーズも高い。自動車の軽量化には、使用部品の薄肉化が最も有効である。すなわち、自動車の強度を維持しつつその軽量化を図るためには、自動車部品用素材となる鋼板の高強度化により鋼板を薄肉化することが有効である。
【０００３】
一般に、鋼板の強度の上昇によりプレス成型性は低下することが多く、強度が高くなるほど成型様式として容易な曲げ成型を主体とした加工が好まれる傾向にある。打ち抜きにより分断されたブランク材の曲げ成型を行う場合は、打ち抜き端部から発生する割れが鋼板の高強度化により非常に顕著になり、曲げ加工を主体とした部品用の鋼板であっても高強度化が困難となっている。
【０００４】
従来、曲げ性に優れた高強度鋼板として、たとえば、特許文献1には、質量％で、C：0.055％超0.15％未満、Si：1.2％未満、Mn：0.5％超2.5％未満、Al：0.5％未満、P：0.1％未満、S：0.01％未満、N：0.008％未満、および、V：0.03％超0.5％未満、Ti：0.003％超0.2％未満、Nb：0.003％超0.1％未満、Mo：0.03％超0.2％未満から選ばれる１種または2種以上を、−0.04＜C−（Ti−3.43N）×0.25−Nb×0.129−V×0.235−Mo×0.125＜0.05の範囲で含有し、ビッカース硬度がHv≧0.3×TS（MPa）＋10の等軸フェライトを70体積％以上含有し、マルテンサイトが5体積％以下であり、残部が等軸以外のフェライト、ベイナイト、セメンタイト、パーライトの１種または2種以上からなる熱延鋼板の製造技術が開示されている。
【０００５】
また、曲げ性と剪断加工性に優れた高強度鋼板として、たとえば、特許文献2には、質量％で、C：0.01〜0.2％、Si：0.01〜2.5％、Mn：0.5〜3.0％、P：0.02％以下、S：0.005％以下、Sol.Al：0.02〜0.5％、Ti：0.02〜0.25％、N：0.010％以下、Nb：0〜0.1％、V：0〜0.4％、Mo：0〜0.4％、W：0〜0.4％、Cr：0〜0.4％、および、Ca、Mｇ、REMの総含有量：0〜0.01％を含有し、面積率で89％以上のフェライトとベイナイト、5％以下のパーライト、3％以下のマルテンサイト、3％以下の残留オーステナイトであり、板厚中心位置のビッカース硬さHvCと表層100μm位置のビッカース硬さHｖSがHｖS／HvC≦0.80となる熱延鋼板の製造技術が開示されている。
【０００６】
さらに、曲げ性と打ち抜き部の疲労特性に優れた高強度鋼板として、たとえば、特許文献3には、質量％で、C：0.05〜0.15％、Si：0〜0.2％、Al：0.5〜3.0％、Mn：1.2〜2.5％、P：0.1％以下、S：0.01％以下、N：0.007％以下、Ti：0.03〜0.10％、Nb：0.008〜0.06％、V：0〜0.12％、Si＋Al：0.8×（Mn−1）％以上、Ti＋Nb：0.04〜0.14％を含有し、マルテンサイトと残留オーステナイトの面積率が合計で3〜20％、フェライトが50〜95％、パーライトが3％以下で、表層部において網目状の酸化物が存在する領域の板厚方向の板厚方向の厚さが0.5μm未満となる熱延鋼板の製造技術が開示されている。
【０００７】
しかしながら、特許文献1に記載の技術では、打ち抜き材の曲げ性が低いという問題があった。また、特許文献2に記載の技術では、剪断加工性を改善したものの、剪断後の曲げ加工に対しては顕著な効果は認めらないという問題があった。特許文献3に記載の技術では、打ち抜き部の疲労特性は改善できるが、打ち抜き後の曲げ加工とは応力負荷レベルが大きく異なるため、打ち抜き材の曲げ加工性までは向上できないという問題があった。
【先行技術文献】
【特許文献】
【０００８】
【特許文献１】特開2006−161111号公報
【特許文献２】特開2015−98629号公報
【特許文献３】特許第5574070号公報
【発明の概要】
【発明が解決しようとする課題】
【０００９】
本発明はかかる事情に鑑み、曲げ性に優れた高強度鋼板およびその製造方法を提供することを目的とする。
【課題を解決するための手段】
【００１０】
課題を解決すべく鋭意研究を重ねた。その結果、以下の知見を得た。まず、延性、曲げ性に優れるフェライトを主相とする。そして、Fe析出物をセメンタイトとして析出させ、打ち抜き時の亀裂の起点としてセメンタイトを作用させることで、打ち抜き時の端面を平滑化する。そして、鋼板の表面粗さを小さくすることで、曲げ変形時の端面近傍からの亀裂発生を抑制する。さらに、鋼板の表層組織を細粒化し、粒子径20nm未満の微細析出物を析出させることにより亀裂の伝播を抑制する。以上により、曲げ性を大いに向上させることができることを見出した。
【００１１】
すなわち、本発明は、C、Si、Mn、P、S、Al、N、および、Ti、Nb、V量を制御した鋼スラブを熱延圧延するにあたり、デスケーリング圧力と圧延温度、および、累積圧下率を制御するとともに、熱延後の冷却において、衝突圧、冷却速度、徐冷温度と時間、巻取温度を制御することで、フェライト分率、粒子径20nm未満の微細析出物、Fe析出物の量、鋼板表層近傍の粒径、および鋼板表面粗さを制御することを特徴とする。フェライト分率、20nm未満の微細析出物、析出Fe量、鋼板表層近傍の粒径、および鋼板表面粗さを制御することで、高強度鋼板の曲げ性を格段に向上させることができる。
【００１２】
本発明は以上の知見に基づいてなされたものであり、以下を要旨とするものである。
［１］成分組成は、質量％で、C：0.04〜0.20％、Si：0.6〜1.5％、Mn：1.0〜3.0％、P：0.10％以下、S：0.030％以下、Al：0.10％以下、N：0.010％以下を含有し、Ti、Nb、Vの１種または2種以上をそれぞれ0.01〜1.0％を含有し、残部は鉄および不可避的不純物からなり、組織は、面積率で、フェライトが５０％以上であり、鋼板表面から板厚深さ方向に50μmの位置での平均粒径が3000×[引張強度TS(MPa) ]−0.85μm以下であり、鋼中に析出した粒子径20nm未満の析出物中のC量が0.010質量％以上、析出Fe量が0.03〜1.0質量％であり、算術平均粗さRaが3.0μm以下であることを特徴とする曲げ性に優れた高強度鋼板。
ただし、前記析出Fe量とはセメンタイトとして析出したFe量である。
［２］前記成分組成に加えて、質量％で、Mo、Ta、Wの１種または2種以上をそれぞれ0.005〜0.50％含有することを特徴とする上記［１］に記載の曲げ性に優れた高強度鋼板。
[３]前記成分組成に加えて、質量％で、Cr、Ni、Cuの１種または2種以上をそれぞれ0.01〜1.0％含有することを特徴とする上記［１］または［２］に記載の曲げ性に優れた高強度鋼板。
［４］前記成分組成に加えて、質量％で、Ca、REMの１種または2種をそれぞれ0.0005〜0.01％含有することを特徴とする上記［１］〜［３］のいずれかに記載の曲げ性に優れた高強度鋼板。
［５］前記成分組成に加えて、質量％で、Sb：0.005〜0.050％を含有することを特徴とする上記［１］〜［４］のいずれかに記載の曲げ性に優れた高強度鋼板。
［６］前記成分組成に加えて、質量％で、B：0.0005〜0.0030％を含有することを特徴とする上記［１］〜［５］のいずれかに記載の曲げ性に優れた高強度鋼板。
［７］鋼板表面にめっき層を有することを特徴とする上記［１］〜［６］のいずれかに記載の曲げ性に優れた高強度鋼板。
［８］上記［１］〜［６］のいずれかに記載の成分組成を有する鋼スラブに対して、鋳造後、直送圧延または1200℃以上に再加熱し、次いで、粗圧延後、仕上げ圧延前に、衝突圧を3MPa以上とするデスケーリングを行い、950℃以下の累積圧下率を0.7以上、仕上圧延出側温度を800℃以上とする熱間圧延を行い、次いで、仕上圧延終了後徐冷開始まで最大衝突圧5kPa以上、平均冷却速度30℃/ｓ以上とする冷却を行い、次いで、徐冷開始温度550〜750℃から、平均冷却速度10℃/s未満、徐冷時間1〜10sで徐冷を行い、次いで、巻取温度350℃以上530℃未満まで、平均冷却速度10℃/s以上で冷却し、巻取温度350℃以上530℃未満で巻取ることを特徴とする曲げ性に優れた高強度鋼板の製造方法。
［９］さらに、前記巻取り後、酸洗を行うことを特徴とする上記［８］に記載の曲げ性に優れた高強度鋼板の製造方法。
［１０］さらに、前記酸洗後、均熱温度750℃以下の焼鈍を行い、次いで、溶融めっき処理することを特徴とする上記［９］に記載の曲げ性に優れた高強度鋼板の製造方法。
［１１］さらに、溶融めっき処理後、合金化処理温度460〜600℃、保持時間1s以上で合金化処理を行うことを特徴とする上記［１０］に記載の曲げ性に優れた高強度鋼板の製造方法。
［１２］さらに、前記酸洗後、電気めっき処理することを特徴とする上記［９］に記載の曲げ性に優れた高強度鋼板の製造方法。
［１３］前記巻取り、前記酸洗、前記溶融めっき処理、前記合金化処理、前記電気めっき処理のいずれかの処理後、板厚減少率0.1〜3.0％の加工を施すことを特徴とする上記［８］〜［１２］のいずれかに記載の曲げ性に優れた高強度鋼板の製造方法。
［１４］上記［１］〜［６］のいずれかに記載の高強度鋼板に対して、めっき処理することを特徴とする曲げ性に優れた高強度鋼板の製造方法。
【００１３】
なお、本発明において、高強度鋼板とは、引張強さ（TS）が780MPa以上の鋼板であり、熱延鋼板、溶融亜鉛めっき処理、合金化溶融亜鉛めっき処理および電気亜鉛めっき処理などの表面処理を熱延鋼板に施した鋼板を含むものである。さらに、熱延鋼板および表面処理を施した鋼板の上にさらに化成処理などにより皮膜を有する鋼板をも含むものである。また、本発明において、曲げ性に優れたとは、打ち抜き時、成形時の曲げ加工性が優れていることである。
【発明の効果】
【００１４】
本発明によれば、曲げ性に優れた高強度鋼板が得られる。本発明の高強度鋼板は、引張強さ：780MPa以上を有し、かつ打ち抜き部材としての曲げ性に優れるため、自動車の構造部材等の使途に好適に用いることができ、工業上有益な効果がもたらされる。
【図面の簡単な説明】
【００１５】
【図１】図１は20nm未満の析出C量に対する臨界曲げ半径と板厚の比の関係を示す図である。
【図２】図２は析出Fe量に対する臨界曲げ半径と板厚の比の関係を示す図である。
【図３】図３はフェライト分率に対する臨界曲げ半径と板厚の比の関係を示す図である。
【図４】図４は表層50μmでの平均粒径を3000×TS−0.85で割った値に対する臨界曲げ半径と板厚の比の関係を示す図である。
【図５】図５は算術平均粗さに対する臨界曲げ半径と板厚の比の関係を示す図である。
【発明を実施するための形態】
【００１６】
以下、本発明について詳細に説明する。なお、以下の％は、特に断らない限り質量％を意味するものとする。
【００１７】
まず、本発明の高強度鋼板の成分組成の限定理由について説明する。
【００１８】
C：0.04〜0.20％
CはTi、Nb、Vと微細炭化物を形成し、鋼板の高強度化と、打ち抜き性、曲げ性の向上に寄与する。また、Feとセメンタイトを形成し打ち抜き性の向上にも貢献する。このような効果を得るためには、C含有量を0.04％以上とする必要がある。より強度が必要な場合は0.06%以上が好ましく、さらに好ましくは0.08％以上である。一方、多量のCはフェライト変態を抑制するとともに、炭化物が粗大化しTi、Nb、Vとの微細炭化物の形成も抑制される。また、過剰なCは溶接性を低下させるとともに、多量のセメンタイトの生成を招き、靭性や成型性を大きく低下させる。したがって、C含有量を0.20％以下とする必要がある。好ましくは0.15％以下、さらに好ましくは0.12％以下である。
【００１９】
Si：0.6〜1.5％
Siは熱間圧延後の徐冷過程において、フェライト変態を促進するとともに、変態と同時に析出するTi、Nb、Vの微細炭化物形成を促す。さらに、固溶強化元素として成形性を大きく低下させることなく鋼板の高強度化に寄与することもできる。このような効果を得るためには、Si含有量を0.6％以上とする必要がある。一方、Siを多量に含有すると、赤スケールと呼ばれる表面模様が発生し、鋼板表面の粗さが大きくなってしまう。また、熱間圧延後、徐冷前の急冷過程でのフェライト変態が促進されてしまい、Ti、Nb、Vの炭化物が粗大に析出してしまう。さらに、靭性が低下する。また、表面にSiの酸化物が生成しやすくなるため、熱延鋼板では化成処理不良、めっき鋼板では不めっきなどの不良が生じやすくなる。したがって、Si含有量は1.5％以下である必要がある。以上より、Si含有量を0.6％以上1.5％以下、好ましくは0.8％以上1.2％以下とする。
【００２０】
Mn：1.0〜3.0％、
Mnは熱間圧延後の冷却において、フェライト変態が始まるタイミングを遅くするので、鋼板の組織の細粒化に効果がある。さらに、Mnは固溶強化により鋼板の高強度化に寄与することもできる。また、有害な鋼中SをMnSとして無害化する作用も有する。このような効果を得るためには、Mn含有量を1.0％以上とする必要がある。好ましくは1.3％以上である。一方、多量のMnはスラブ割れを引き起こすとともにフェライト変態の進行を抑制し、その結果、CとTi、Nb、Vとによる微細炭化物の形成を抑制してしまう。よって、Mn含有量を3.0％以下とする必要がある。好ましくは2.3％以下、さらに好ましくは1.6％以下である。
【００２１】
P：0.10％以下
Pは溶接性を低下させる作用を有するとともに、粒界に偏析して鋼板の延性、曲げ性および靭性を劣化させる。さらに、Pを多量に含有すると、熱間圧延後、徐冷前の急冷過程でのフェライト変態が促進されてしまい、Ti、Nb、Vの炭化物が粗大に析出してしまう。以上より、P含有量を0.10％以下とする必要がある。好ましくは0.05％以下、より好ましくは0.03％以下、さらに好ましくは0.01％以下である。ただし、必要以上にPを低減させることは製造コストの増大を招くので、Pの下限値は0.001％が好ましい。
【００２２】
S：0.030％以下
Sは溶接性を低下させる作用を有するとともに、熱間圧延での延性を著しく低下させるので、熱間割れを誘発し、表面性状を著しく劣化させる。また、Sは鋼板の強度向上にほとんど寄与しない。さらに、不純物元素として粗大な硫化物を形成することにより、鋼板の延性、曲げ性および伸びフランジ性を低下させる。これらの問題は、S含有量が0.030％を超えると顕著となるため、極力低減することが望ましい。したがって、S含有量を0.030％以下とする必要がある。好ましくは0.010％以下、より好ましくは0.003％以下、さらに好ましくは0.001％以下である。ただし、必要以上にSを低減させることは、製造コストの増大を招くので、Sの下限値は0.0001％が好ましい。
【００２３】
Al：0.10％以下
Alを多く含有すると、鋼板の靭性および溶接性が大きく低下してしまう。さらに、表面にAlの酸化物が生成しやすくなるため、熱延鋼板では化成処理不良が、めっき板では不めっきなどの不良が生じやすくなる。したがって、Al含有量を0.10％以下とする必要がある。好ましくは0.06％以下である。下限は特に規定しない。Alキルド鋼として0.01％以上含まれていても問題ない。
【００２４】
N：0.010％以下
NはTi、Nb、Vと高温で粗大な窒化物を形成する。しかし、これらの粗大な窒化物は鋼板の強度向上にあまり寄与しないことから、Ti、Nb、V添加による鋼板の高強度化の効果を小さくしてしまうだけでなく、靭性の低下も招いてしまう。さらにNを多量に含有させると、熱間圧延中にスラブ割れが発生し、表面疵ができる恐れがある。したがって、N含有量を0.010％以下とする必要がある。好ましくは0.005％以下、より好ましくは0.003％以下、さらに好ましくは0.002％以下である。ただし、必要以上にNを低減させることは製造コストの増大に直結するので、Nの下限値は0.0001％が好ましい。
【００２５】
Ti、Nb、V：１種または2種以上をそれぞれ0.01〜1.0％
Ti、Nb、VはCと微細な炭化物を形成し、鋼板の高強度化に寄与するとともに、曲げ性の改善にも寄与する。このような作用を得るためには、Ti、Nb、Vの１種または2種以上をそれぞれ0.01％以上含有する必要がある。一方、Ti、Nb、V を、それぞれ1.0％を超えて多量に含有させても、高強度化の効果は飽和する上に、微細析出物が多量に析出し靭性が低下することから、Ti、V、Nbの含有量をそれぞれ1.0％以下とする必要がある。
【００２６】
残部は鉄および不可避的不純物である。不可避的不純物としては、Sn、Mg、Co、As、Pb、Zn、Oなどが挙げられ、合計で0.5％以下であれば許容できる。
【００２７】
以上の必須添加元素で、本発明の鋼板は目的とする特性が得られるが、上記の必須添加元素に加えて、必要に応じて下記の元素を添加することができる。
【００２８】
Mo、Ta、Wの１種または2種以上をそれぞれ0.005〜0.50％
Mo、Ta、Wは微細析出物を形成することで鋼板の高強度化、曲げ性改善に寄与する。このような効果を得るため、Mo、Ta、W を含有する場合には、Mo、Ta、Wのうちの１種または2種以上の含有量をそれぞれ0.005％以上とする。一方、多量にMo、Ta、Wを含有させても効果が飽和するだけでなく、微細析出物が多量に析出し、鋼板の靭性、打ち抜き性が低下することから、Mo、Ta、Wのうちの１種または2種以上の含有量をそれぞれ0.50％以下とすることが好ましい。好ましくは、Mo、Ta、Wの１種または2種以上の合計量で0.50％以下とする。
【００２９】
Cr、Ni、Cuの１種または2種以上をそれぞれ0.01〜1.0％
Cr、Ni、Cuは鋼板の組織を細粒化するとともに、固溶強化元素として作用することで鋼板の高強度化と曲げ性の向上に寄与する。このような効果を得るため、Cr、Ni、Cuを含有する場合には、Cr、Ni、Cuのうちの１種または2種以上の含有量をそれぞれ0.01％以上とする。一方、多量にCr、Ni、Cuを多量に含有させても効果が飽和するだけでなく製造コストの上昇を招くことから、Cr、Ni、Cuのうちの１種または2種以上の含有量をそれぞれ1.0％以下とすることが好ましい。
【００３０】
Ca、REMの１種または2種をそれぞれ0.0005〜0.01％
Ca、REMは硫化物の形態を制御することで鋼板の延性、靭性、曲げ性および伸びフランジ性を向上させることができる。このような効果を得るため、Ca、REMを含有させる場合には、Ca、REMの１種または2種の含有量をそれぞれ0.0005％以上とする。一方、多量に含有させても効果が飽和するだけでなくコストが上昇することからCa、REMを含有させる場合には、Ca、REMの１種または2種の含有量をそれぞれ0.01％以下とすることが好ましい。
【００３１】
Sb：0.005〜0.050％
Sbは熱間圧延時に表面に偏析することから、スラブに窒素が進入するのを防止して、粗大な窒化物の形成を抑制することができる。このような効果を得るため、Sbを含有させる場合には0.005％以上の含有量とする。一方、多量にSbを含有すると製造コストが上昇することから、Sbを含有する場合は0.050％以下の含有量とする。
【００３２】
B：0.0005〜0.0030
Bは鋼板の組織を細粒化することで、鋼板の高強度化と曲げ性の向上に寄与することができる。このような効果を得るためBを含有させる場合は0.0005%以上とする。好ましくは0.0010%以上である。一方、多量のBは熱間圧延時の圧延荷重を上昇させてしまうことから、Bを含有させる場合は0.0030％以下とする。好ましくは0.0020%以下である。
【００３３】
次に、本発明鋼板の重要な要件である組織等について説明する。
フェライト： 面積率で50％以上
フェライトは延性、曲げ性に優れることから、本発明ではフェライトを面積率で50％以上とすることで、優れた延性、曲げ性を有する鋼板を得る。好ましくはフェライトの面積率は70％以上、より好ましくは80％以上、さらに好ましくは90％以上である。フェライト以外の組織は、パーライト、ベイナイト、マルテンサイト、残留オーステナイトなどであってよい。なお、フェライトの面積率は後述する実施例に記載の方法にて測定することができる。また、製造条件、特に徐冷時の冷却速度を制御することにより、フェライトの面積率を50％以上とすることができる。
【００３４】
鋼板表面から板厚深さ方向に50μmの位置での平均粒径：3000×[引張強度TS(MPa) ]−0.85μm以下
鋼板の表面付近の粒径を小さくすることで、曲げ成型時の割れの伸展を抑制することができる。さらに、鋼板の強度が高いほど割れは伸展しやすいことから、より粒径を小さくする必要がある。このような鋼板表面付近の粒径は、鋼板最表面で評価するよりも、スケールを除いた表面から板厚深さ方向に50μm内側に入った位置のほうがより的確に評価できる。よって、本発明では、鋼板表面から板厚深さ方向に50μmの位置での平均粒径を規定することとする。なお、本発明において、鋼板表面から板厚深さ方向に50μmの位置とは、スケールを除いた鋼板表面から板厚方向に50μm内側に入った位置であり、「表層50μm位置」と称することもある。
表層50μm位置での平均粒径を3000×[引張強度TS(MPa) ]−0.85μm以下とすることで、曲げ成型時の割れの進展を抑制することができ、優れた曲げ性を得ることができる。好ましくは表層50μm位置での平均粒径は2500×[TS(MPa) ]−0.85μm以下、より好ましくは2000×[TS(MPa) ]−0.85μm以下、さらに好ましくは1500×[TS(MPa) ]−0.85μm以下である。下限は特に規定しないが、0.5μm程度で十分である。なお、表層50μm位置での平均粒径は後述する実施例に記載の方法にて測定することができる。また、表層50μm位置での平均粒径は、製造条件、特に熱間圧延時の累積圧下率や仕上圧延出側温度等により、制御することができる。
【００３５】
鋼中に析出した粒子径20nm未満の析出物中のC量が0.010％以上
鋼中に析出した析出物のうち、粒子径20nm未満の析出物は鋼板の強度および曲げ性の向上に寄与できる。このような微細な析出物は、炭化物が主体である。よって、このような効果を得るためには、粒子径20nm未満の析出物中のC量（以下、略して析出C量と称することもある）が0.010％以上である必要がある。好ましくは0.015％以上である。一方、粒子径20nm未満の析出物が必要以上に鋼中に多量に存在しても強度上昇の効果は飽和することから、析出C量は0.15％以下が好ましく、より好ましくは0.10％以下、さらに好ましくは0.08％以下である。なお、析出C量は後述する実施例に記載の方法にて測定することができる。また、製造条件を制御することにより、析出C量を0.010％以上とすることができる。
【００３６】
析出Fe量が0.03〜1.0％
セメンタイトは、部材を打ち抜き加工したときに、部材の打ち抜き端面を平滑にする効果を有している。このような効果を得るためには、セメンタイトは一定量以上必要である。セメンタイト量の指標として、セメンタイトとして析出したFe量(以下、析出Fe量と称することもある)を用い、本発明では析出Fe量を規定する。部材の打ち抜き端面を平滑にする効果を得るために、析出Fe量を0.03％以上とする。好ましくは0.05％以上、より好ましくは0.10％以上である。一方、析出Fe量が多くなると、セメンタイトが脆性破壊の起点となり、曲げ性が劣化する。よって、析出Fe量を1.0％以下とする。好ましくは0.50％以下、より好ましくは0.30％以下である。なお、析出Fe量は後述する実施例に記載の方法にて測定することができる。また、製造条件、特に巻取温度を制御することにより、析出Fe量を0.03〜1.0％とすることができる。
【００３７】
算術平均粗さRaが3.0μm以下
高強度鋼板表面の算術平均粗さを小さくすることで、打ち抜き部材を曲げ成型したときの割れの起点発生を抑制することができる。よって、算術平均粗さ（Ra）を3.0μm以下とする必要がある。好ましくは2.0μm以下、より好ましくは1.5μm以下、さらに好ましくは1.0μm以下である。下限は特に規定しないが、0.5μm程度が好ましい。なお、算術平均粗さRaは後述する実施例に記載の方法にて測定することができる。
【００３８】
次に、本発明の高強度鋼板の製造方法について説明する。
本発明の高強度鋼板は、上記成分組成を有する鋼スラブに対して、鋳造後、直送圧延または1200℃以上に再加熱し、次いで、粗圧延後、仕上げ圧延前に、衝突圧を3MPa以上とするデスケーリングを行い、950℃以下の累積圧下率を0.7以上、仕上圧延出側温度を800℃以上とする熱間圧延を行い、次いで、仕上げ圧延終了後徐冷開始まで最大衝突圧5kPa以上、平均冷却速度30℃/ｓ以上とする冷却を行い、次いで、徐冷開始温度550〜750℃から、平均冷却速度10℃/s未満、徐冷時間1〜10sで徐冷を行い、次いで、巻取り温度350℃以上530℃未満まで、平均冷却速度を10℃/s以上で冷却し、巻取温度350℃以上530℃未満で巻取ることで得られる。巻取り後、酸洗を行うことができる。さらに、酸洗後、均熱温度750℃以下の焼鈍を行い、次いで、溶融めっき処理、もしくは電気めっき処理することができる。溶融めっき処理後、合金化処理温度460〜600℃、保持時間1s以上で合金化処理を行うことができる。また、以上により得られた高強度鋼板に対して、板厚減少率0.1〜3.0％の加工を施すことができる。
【００３９】
以下、詳細に説明する。
【００４０】
本発明において、鋼の溶製方法は特に限定されず、転炉、電気炉等、公知の溶製方法を採用することができる。また、真空脱ガス炉にて2次精錬を行ってもよい。その後、生産性や品質上の問題から連続鋳造法によりスラブ（鋼素材）とする。造塊−分塊圧延法、薄スラブ連鋳法等、公知の鋳造方法でスラブとしても良い。
【００４１】
鋳造後スラブ：鋳造後のスラブを直送圧延、または、温片や冷片となったスラブを1200℃以上に再加熱
Ti、Nb、Vを微細に析出させるためには、熱間圧延開始前にこれらの元素を鋼中に固溶させる必要がある。そのため、鋳造後のスラブは高温のまま熱間圧延機の入り側に搬送して、熱間圧延を行う（直送圧延）ことが好ましい。しかし、一旦、鋳造後のスラブが温片や冷片となり、Ti、Nb、Vが析出物として析出してしまった場合は、Ti、Nb、V を再固溶するためにスラブを1200℃以上に再加熱したのち粗圧延を開始する必要がある。スラブ加熱温度が低いとTi、V、Nbの再固溶が阻害され、粗大な炭化物のまま残るため、微細な炭化物の生成が抑制されてしまう。1200℃以上での保持時間は特に規定しないが、好ましくは10分以上、より好ましくは30分以上である。操業負荷の点から上限は180分以下が好ましい。また、再加熱温度は好ましくは1220℃以上、より好ましくは1250℃以上である。操業負荷の点から上限は1300℃以下が好ましい。
【００４２】
熱間圧延：粗圧延後、仕上げ圧延前に、衝突圧を3MPa以上とするデスケーリングを行い、仕上げ圧延での950℃以下の累積圧下率を0.7以上、仕上げ圧延出側温度を800℃以上とする
本発明では、粗圧延後、仕上げ圧延前に、仕上げ圧延機の入り側で高圧水を使用したデスケーリングを行う。この時、高圧水の衝突圧を3MPa以上とする。衝突圧が小さいとスケールが除去しきれず表面に残ってしまう。その状態で仕上げ圧延されると残ったスケールが鋼板表面に押し込まれて鋼板の表面粗さが大きくなってしまう。そのため、仕上げ圧延機の入り側での高圧水の衝突圧を3MPa以上とする必要がある。好ましくは5MPa以上、より好ましくは8MPa以上、さらに好ましくは10MPa以上である。上限は特に規定しないが15MPaが好ましい。時間は特に限定しないが、仕上げ圧延中の鋼板の温度が低くなりすぎないように、0.1〜5ｓが好ましい。なお、上記において、衝突圧とは、高圧水が鋼材表面に衝突する単位面積あたりの力である。
【００４３】
仕上げ圧延での950℃以下の累積圧下率：0.7以上
仕上げ圧延において、低い温度での圧下率を大きくすると、フェライト粒径を小さくすることができる。そのため、950℃以下での圧下率を累積で0.7以上とする。好ましくは1.0以上、より好ましくは1.3以上、さらに好ましくは1.6以上である。上限は特に規定しないが、2.0が好ましい。なお、累積圧下率とは、仕上げ圧延において、各圧延機での圧下率を入り側と出側の板厚比とした場合の、950℃以下となる各圧延機での圧下率をそれぞれ加算して合計したものである。
【００４４】
仕上圧延出側温度：800℃以上
仕上げ圧延の出側温度が低くなると、熱間圧延後、徐冷前の急冷過程でのフェライト変態が高温域で起こり、Ti、Nb、Vの炭化物が粗大に析出してしまう。さらに、仕上げ圧延の終了温度がフェライト域になると、フェライト粒径が大きくなるとともに、歪誘起析出によりTi、Nb、Vの炭化物が粗大に析出してしまう。そのため、仕上圧延出側の温度は800℃以上とする。好ましくは820℃以上、より好ましくは850℃以上である。仕上圧延出側温度の上限は特に規定しないが、920℃が好ましい。
【００４５】
仕上げ圧延終了後徐冷開始まで最大衝突圧5kPa以上、平均冷却速度30℃/ｓ以上とする冷却（徐冷前の急冷）
仕上げ圧延終了から徐冷開始までの最大衝突圧：5kPa以上
仕上げ圧延終了から徐冷が開始されるまでの間に、冷却水により鋼板を急冷する。この時、冷却水の最大衝突圧を大きくすると、鋼板表層部のフェライト粒径を小さくすることができる。そのため、仕上圧延終了から徐冷開始までの、冷却水の最大衝突圧を5kPa以上とする。好ましくは10kPa以上、より好ましくは15kPa以上である。最大衝突圧の上限は特に規定しないが200kPaが好ましい。なお、上記において、最大衝突圧とは、高圧水が鋼材表面に衝突する単位面積あたりの最大力である。
仕上げ圧延終了から徐冷開始までの平均冷却速度：30℃/ｓ以上
仕上げ圧延終了から徐冷開始までの急冷で、冷却速度が小さいと、フェライト変態が高温で起こり、粒径が大きくなり、さらにTi、Nb、Vの炭化物が粗大に析出してしまう。したがって、仕上げ圧延終了から徐冷開始までの平均冷却速度を30℃/s以上とする。好ましくは50℃/s以上、さらに好ましくは80℃/s以上である。上限は特に規定しないが、温度制御の観点から200℃/sが好ましい。
【００４６】
徐冷開始温度550〜750℃から、平均冷却速度10℃/s未満、徐冷時間1〜10sで徐冷
徐冷開始温度：550〜750℃
徐冷開始温度が高いと、フェライト変態が高温で起こり、結晶粒が粗大化し、さらにTi、Nb、Vの炭化物が粗大に析出してしまう。そのため徐冷開始温度を750℃以下とする必要がある。一方、徐冷開始温度が低いと、Ti、Nb、Vの炭化物が十分析出できなくなってしまう。そのため、徐冷開始温度を550℃以上とする必要がある。
徐冷時の平均冷却速度：10℃/s未満
徐冷時の冷却速度が大きいとフェライト変態が十分に起こらないので、フェライトの面積率が小さくなる。また、Ti、Nb、Vの微細炭化物の析出量も少なくなってしまう。そのため徐冷時の平均冷却速度を10℃/s未満とする。好ましくは6℃/s未満である。下限は特に規定しないが、空冷程度の4℃/sが好ましい。
徐冷時間：1〜10s（秒）
徐冷時間が短いとフェライト変態が十分に起こらない。また、Ti、Nb、Vの微細炭化物の析出量が少なくなってしまう。そのため徐冷時間を1s以上とする。好ましくは2s以上、より好ましくは3s以上である。一方、徐冷時間が長いとTi、Nb、Vの炭化物が粗大化し、さらに結晶粒が粗大化してしまう。そのため、徐冷時間を10s以下とする必要がある。好ましくは6s以下である。
なお、徐冷終了温度は、徐冷開始温度と冷却速度、徐冷時間により適宜決定される。
【００４７】
巻取温度350℃以上530℃未満まで、平均冷却速度を10℃/s以上で冷却
徐冷終了から巻取温度までの冷却速度が遅いと、Ti、Nb、Vの炭化物が粗大化してしまう。また、フェライト結晶粒が粗大化してしまう。そのため、徐冷終了から巻取りまでの平均冷却速度を10℃/s以上とする。好ましくは30℃/s以上、より好ましくは50℃/s以上である。上限は特に規定しないが、温度制御の観点から100℃/sが好ましい。
【００４８】
巻取温度：350℃以上530℃未満
巻取温度が高いとTi、Nb、Vの炭化物が粗大化してしまう。また、フェライト粒が粗大化してしまう。そのため、巻取温度を530℃未満とする必要があり、好ましくは480℃未満である。一方、巻取り温度が低いと、FeとCの析出物であるセメンタイトの生成が抑制される。そのため、巻取温度を350℃以上とする。
【００４９】
以上により、本発明の高強度鋼板が製造される。なお、上記において、仕上圧延出側温度、巻取温度は、鋼板表面の温度とする。仕上圧延終了後徐冷開始までの平均冷却速度、徐冷時の平均冷却速度、徐冷終了から巻取温度までの平均冷却速度は、鋼板表面の温度をもとに規定される。
【００５０】
巻取り後、酸洗（好適条件）
以上により得られた高強度鋼板に対して、酸洗を行うことができる。酸洗の方法は特に限定しない。塩酸酸洗や硫酸酸洗が挙げられる。酸洗を行うことで、鋼板表面のスケールが除去され、化成処理性や塗装密着性がよくなる。また、後に続く、溶融めっき処理や、電気めっき処理を行った場合のめっき密着性が良好となる。
【００５１】
また、本発明の高強度鋼板の材質は、めっき処理やめっき浴の組成による影響をうけないため、めっき処理として、溶融亜鉛めっき処理、合金化溶融亜鉛めっき処理、電気めっき処理などを施すことができる。
【００５２】
酸洗後、均熱温度750℃以下の焼鈍を行い、次いで、溶融めっき処理（好適条件）
酸洗後に、均熱温度750℃以下の焼鈍を行う。均熱温度を750℃以下とすることで、Ti、Nb、Vの炭化物の粗大化と結晶粒の粗大化を抑制することができる。次いで、めっき浴に浸漬し、溶融めっき処理を行う。例えば、溶融亜鉛めっき処理の場合、めっき浴は420〜500℃が好ましい。めっき浴が420℃未満では亜鉛が溶融しない。一方、500℃超えではめっきの合金化が過剰に進んでしまう。
【００５３】
溶融めっき処理後、合金化処理温度460〜600℃、保持時間1s以上で合金化処理（好適条件）
溶融めっき処理後、460〜600℃まで再加熱をおこない、再加熱温度で1s以上保持することで合金化溶融亜鉛めっき鋼板とすることができる。再加熱温度が460℃未満では、合金化が不十分である。一方、600℃超えでは合金化が過剰に進行してしまう。また、保持時間が1ｓ未満では合金化が不十分である。なお、再加熱温度とは鋼板表面の温度とする。
【００５４】
酸洗後、電気めっき処理
酸洗後、電気めっき処理を行うことで、亜鉛めっき、亜鉛とAlの複合めっき、亜鉛とNiの複合めっき、Alめっき、AlとSiの複合めっきを鋼板表面に形成することができる。
【００５５】
板厚減少率0.1〜3.0％の加工
以上により得られた高強度鋼板に、軽加工を加えることで可動転位を増やし、打ち抜き性を高めることができる。この効果を得るため、0.1％以上の板厚減少率で軽加工を行うことが好ましい。より好ましくは、板厚減少率は0.3％以上である。一方、板厚減少率が大きくなると、転位の相互作用で転位が移動しにくくなり、打ち抜き性が低下することから、軽加工を行う場合には板厚減少率を3.0％以下とすることが好ましく、より好ましくは2.0％以下、さらに好ましくは1.0％以下である。ここで、軽加工としては、圧延ロールによる圧下を鋼板に加えることでもよいし、鋼板に張力を与える引張りによる加工でもよい。さらに、圧延と引張りの複合加工でもよい。
【実施例１】
【００５６】
表1に示す成分組成からなる溶鋼を通常公知の手法により溶製、連続鋳造して鋼スラブを製造した。これらのスラブを、表2に示す製造条件にて、熱間圧延、冷却、巻取りを行い、熱延鋼板とした。また、一部については、酸洗（塩酸濃度：質量%で10％、温度：80℃）し、表2に示す条件でめっき処理を行った。
以上により得られた高強度鋼板からそれぞれ試験片を採取し、以下の試験、評価を行った。なお、めっき鋼板の場合は、めっき処理後の鋼板で、試験、評価を行った。
【００５７】
フェライト面積率
圧延方向−板厚方向断面を埋め込み研磨し、ナイタール腐食後、走査型電子顕微鏡（SEM）にて板厚1/4部を中心とし倍率1000倍として100×100μm領域の写真を3枚撮影し、そのSEM写真を画像処理することにより求めた。
【００５８】
表層50μmの位置での平均粒径
圧延方向−板厚方向断面を埋め込み研磨し、ナイタール腐食後、測定ステップ0.1μmでEBSD測定をおこない、方位差15°以上を粒界として求めた。スケールを除く表層50μm位置での測定長さは500μmとし、表層50μm位置にある結晶粒全てについて、その各々の面積を円換算して直径を求め、それらの直径の平均値を平均粒径とした。
【００５９】
析出C量
まず、特許第4737278号公報に示すように、鋼板から採取した試験片を陽極として10％AA系電解液（10体積％アセチルアセトン−1質量％テトラメチルアンモニウムクロライド−メタノール電解液）中で定電流電解を行い、この試験片を一定量溶解した後、孔径20nmのフィルターを用いて電解液を濾過し、ついで、得られた濾液中のTi、NbおよびV量、さらにはMo、TaおよびW量を、ICP発光分光分析法により分析して求めた。Ti、NbおよびV、さらにはMo、TaおよびWが全て炭化物であったとして、測定結果から換算して析出C量を求めた。
【００６０】
析出Fe量
最初に、鋼板から採取した試験片を陽極として10％AA系電解液中で定電流電解により一定量溶解し、その後、電解によって得られた抽出残渣を孔径0.2μmのフィルターを用いて濾過してFe析出物を回収し、ついで回収されたFe析出物を混酸で溶解した後、ICP発光分光分析法によってFeを定量し、その測定値からFe析出物中のFe量を算出した。なお、Fe析出物は凝集しているため、孔径0.2μmのフィルターを用いて濾過を行うことで、粒径0.2μm未満のFe析出物も回収することが可能である。
【００６１】
算術平均粗さRa 
JIS B0601に準拠してRaを求めた。圧延直角方向に5回測定してその平均値をRaとした。めっき鋼板についてはめっき処理後の鋼板のRaを、熱延鋼板については、酸洗後の鋼板のRaを求めた。
【００６２】
機械特性
圧延直角方向を長手方向としてJIS5号引張り試験片を切り出し、JIS Z2241に準拠して引張試験を行い、降伏強度（YP）、引張強度（TS）、全伸び（El）を求めた。試験は2個で行い、それぞれの平均値をその鋼板の機械特性値とした。
【００６３】
曲げ試験
圧延直角方向を長手方向として35×100mmの板をクリアランス15％で打ち抜いた後、バリを曲げの内側として、90°のV曲げをおこなった。押し込み時の荷重は5〜10トン、押し込み速度は50mm/minとした。そして、打ち抜き面近傍のV曲げ頂点部に割れが発生しないV曲げポンチ先端の最小半径を求めた。割れの判定は板面頂点部を目視で確認することで行った。3回試験を行い、3回とも割れが認められなかった場合に割れ無しとして、割れが発生しない（割れ無し）最小半径を臨界曲げ半径とした。そして、（臨界曲げ半径／板厚）の値が3.0以下であれば、曲げ加工性に優れると判断した。
以上により得られた結果を表3に示す。
【００６４】
【表１】
2017115191.tif 000002
【００６５】
【表２】
2017115191.tif 000003
【００６６】
【表３】
2017115191.tif 000004
【００６７】
表３より、本発明例では、曲げ性に優れた高強度鋼板が得られているのがわかる。
【００６８】
図1〜図5は、表3に示す結果をもとに整理したものであり、図１は析出C量に対する臨界曲げ半径と板厚の比の関係を示す図、図２は析出Fe量に対する臨界曲げ半径と板厚の比の関係を示す図、図３フェライト分率に対する臨界曲げ半径と板厚の比の関係を示す図、図４は表層50μmでの平均粒径を3000×TS−0.85で割った値に対する臨界曲げ半径と板厚の比の関係を示す図、図５は算術平均粗さに対する臨界曲げ半径と板厚の比の関係を示す図である。
【００６９】
図１より、析出C量を本発明の範囲内とすることで、（臨界曲げ半径／板厚）の値を3.0以下にできることがわかる。
【００７０】
図２より、析出Fe量を本発明の範囲内とすることで、（臨界曲げ半径／板厚）の値を3.0以下にできることがわかる
図３より、フェライト分率を本発明の範囲内とすることで、（臨界曲げ半径／板厚）の値を3.0以下にできることがわかる。
【００７１】
図４より表層50μmでの平均粒径を本発明の範囲内とすることで、（臨界曲げ半径／板厚）の値を3.0以下にできることがわかる。
【００７２】
図５より、算術平均粗さを本発明の範囲内とすることで、（臨界曲げ半径／板厚）の値を3.0以下にできることがわかる。
【図１】
2017115191.tif 000005
【図２】
2017115191.tif 000006
【図３】
2017115191.tif 000007
【図４】
2017115191.tif 000008
【図５】
2017115191.tif 000009
【手続補正書】
【提出日】平成29年3月27日(2017.3.27)
【手続補正１】
【補正対象書類名】特許請求の範囲
【補正対象項目名】全文
【補正方法】変更
【補正の内容】
【特許請求の範囲】
【請求項１】
成分組成は、質量％で、C：0.04〜0.20％、
Si：0.6〜1.5％、
Mn：1.0〜3.0％、
P：0.10％以下、
S：0.030％以下、
Al：0.10％以下、
N：0.010％以下を含有し、
Ti、Nb、Vの１種または2種以上をそれぞれ0.01〜1.0％を含有し、残部は鉄および不可避的不純物からなり、
組織は、面積率で、フェライトが50％以上であり、
鋼板表面から板厚深さ方向に50μmの位置での平均粒径が3000×[引張強度TS(MPa) ]−0.85μm以下であり、
鋼中に析出した粒子径20nm未満の析出物中のC量が0.010質量％以上、
析出Fe量が0.03〜1.0質量％であり、
算術平均粗さRaが3.0μm以下である高強度鋼板。
ただし、前記析出Fe量とはセメンタイトとして析出したFe量である。
【請求項２】
前記成分組成に加えて、質量％で、Mo、Ta、Wの１種または2種以上をそれぞれ0.005〜0.50％含有する請求項１に記載の高強度鋼板。
【請求項３】
前記成分組成に加えて、質量％で、Cr、Ni、Cuの１種または2種以上をそれぞれ0.01〜1.0％含有する請求項１または２に記載の高強度鋼板。
【請求項４】
前記成分組成に加えて、質量％で、Ca、REMの１種または2種をそれぞれ0.0005〜0.01％含有する請求項１〜３のいずれか一項に記載の高強度鋼板。
【請求項５】
前記成分組成に加えて、質量％で、Sb：0.005〜0.050％を含有する請求項１〜４のいずれか一項に記載の高強度鋼板。
【請求項６】
前記成分組成に加えて、質量％で、B：0.0005〜0.0030％を含有する請求項１〜5のいずれか一項に記載の高強度鋼板。
【請求項７】
鋼板表面にめっき層を有する請求項１〜6のいずれか一項に記載の高強度鋼板。
【請求項８】
請求項１〜6のいずれか一項に記載の成分組成を有する鋼スラブに対して、鋳造後、直送圧延または1200℃以上に再加熱し、
次いで、粗圧延後、仕上げ圧延前に、衝突圧を3MPa以上とするデスケーリングを行い、950℃以下の累積圧下率を0.7以上、仕上圧延出側温度を800℃以上とする熱間圧延を行い、
次いで、仕上圧延終了後徐冷開始まで冷却水の最大衝突圧5kPa以上、平均冷却速度30℃/ｓ以上とする冷却水による急冷を行い、
次いで、徐冷開始温度550〜750℃から、平均冷却速度10℃/s未満、徐冷時間1〜10sで徐冷を行い、
次いで、巻取温度350℃以上530℃未満まで、平均冷却速度10℃/s以上で冷却し、
巻取温度350℃以上530℃未満で巻取る高強度鋼板の製造方法。
【請求項９】
さらに、前記巻取り後、酸洗を行う請求項8に記載の高強度鋼板の製造方法。
【請求項１０】
さらに、前記酸洗後、均熱温度750℃以下の焼鈍を行い、次いで、溶融めっき処理する請求項9に記載の高強度鋼板の製造方法。
【請求項１１】
さらに、溶融めっき処理後、合金化処理温度460〜600℃、保持時間1s以上で合金化処理を行う請求項10に記載の高強度鋼板の製造方法。
【請求項１２】
さらに、前記酸洗後、電気めっき処理する請求項9に記載の高強度鋼板の製造方法。
【請求項１３】
前記巻取り、前記酸洗、前記溶融めっき処理、前記合金化処理、前記電気めっき処理のいずれかの処理後、板厚減少率0.1〜3.0％の加工を施す請求項8〜12のいずれか一項に記載の高強度鋼板の製造方法。
【請求項１４】
請求項１〜6のいずれか一項に記載の高強度鋼板に対して、めっき処理する高強度鋼板の製造方法。
【手続補正２】
【補正対象書類名】明細書
【補正対象項目名】００３２
【補正方法】変更
【補正の内容】
【００３２】
B：0.0005〜0.0030％
Bは鋼板の組織を細粒化することで、鋼板の高強度化と曲げ性の向上に寄与することができる。このような効果を得るためBを含有させる場合は0.0005％以上とする。好ましくは0.0010％以上である。一方、多量のBは熱間圧延時の圧延荷重を上昇させてしまうことから、Bを含有させる場合は0.0030％以下とする。好ましくは0.0020％以下である。